(57)【要約】【課題】本発明は地震などの横揺れなどの横力に対して強い踏ん張り力を発揮する支柱ブロックおよび土木構造体を提供するにある。【解決手段】支柱部２、この支柱部２の一方の端部に設けられた凸部からなる支柱側第１の嵌合部３、支柱部２のもう一方の端部に設けられた凸部からなる支柱側第２の嵌合部４、支柱部２の側部から延びるように斜め支柱形態で設けられた筋交部５、この筋交部５の端部に設けられた凸部からなる支柱側第３の嵌合部６とからなる主に高流動コンクリートで形成された支柱ブロック７を構成している。【選択図】　図６
2004143880.tif 000002
【特許請求の範囲】
【請求項１】
支柱部と、
この支柱部の一方の端部に設けられた凸部や孔や凹部からなる支柱側第１の嵌合部と、
前記支柱部のもう一方の端部に設けられた凸部や孔や凹部からなる支柱側第２の嵌合部と、
前記支柱部の側部から延びるように斜め支柱形態で設けられた筋交部と、
この筋交部の端部に設けられた凸部や孔や凹部からなる支柱側第３の嵌合部とからなることを特徴とする支柱ブロック。
【請求項２】
支柱部、この支柱部の一方の端部に設けられた凸部や孔や凹部からなる支柱側第１の嵌合部、前記支柱部のもう一方の端部に設けられた凸部や孔や凹部からなる支柱側第２の嵌合部、前記支柱部の側部から延びるように斜め支柱形態で設けられた筋交部、この筋交部の端部に設けられた凸部や孔や凹部からなる支柱側第３の嵌合部とからなる支柱ブロックと、
床板本体、この床板本体に多数配列された前記支柱側第１の嵌合部、前記支柱側第２の嵌合部および前記支柱側第３の嵌合部が嵌合する形態の床板側嵌合部とからなる床板ブロックと、
前記床板ブロックを横敷きして形成した床板ブロック群、この床板ブロック群の上に適宜な数の前記支柱ブロックを適宜な部位に適宜な向きで嵌合立設して形成した支柱ブロック群とからなるブロック構造体と、
このブロック構造体を複数積み重ねて形成したブロック多段構造体と、
上下関係にある床板ブロック群間に形成された空間部に詰められた客土などの一部をなす詰土砂とからなることを特徴とする土木構造体。
【発明の詳細な説明】
【０００１】
【発明の属する技術分野】
本発明は堤防、土手、擁壁などの壁体を形成するための支柱ブロックおよび土木構造体に関する。
【０００２】
【従来技術】
従来特開２０００−３３６１２（コンクリートブロックならびにコンクリートブロックを用いた土木構造体）に、多数の嵌合孔を設けた平板ブロックかなる基板、前記嵌合孔に嵌合する嵌合凸部を両端に有する一本支柱からなる連結用支柱とからなるコンクリートブロックと、前記基板と連結用支柱により多段に組み上げられてなる土木構造体が開示されている。
【０００３】
【特許文献】特開２０００−３３６１２
【０００４】
【発明が解決しようとする課題】
前述した従来技術は、連結用支柱が一本支柱であるためこの連結用支柱の支持は両端の嵌合凸部の嵌合と詰められた土砂により支持される構造であることから横圧や横揺れに対する踏ん張り力が弱く、地震による大きな横揺れ、背土の土圧の強大化があった場合などは、土木構造体が歪みやすい崩壊にいたるという欠点があった。
また、下段の基板群と上段の基板群の基板の配列をずらした構成とすることにより基板同士が離れないような連結を実現して土木構造体の一体化を実現するようにするのであるが、一本支柱の連結支柱による連結構造なので連結力が弱いために、基板同士が離れやすい弱体構造であるという欠点があったし、この弱体構造を補強するために連結支柱を多数本使用するとコスト高となり、且つ空間部が狭くなるので詰土砂量が少なくなり通排水能力が低下するという欠点があった。
【０００５】
本発明は以上のような従来の欠点に鑑み、地震などの大きな横揺れなどの強い横力に対して強い踏ん張り力を発揮するとともに床板ブロック同士の強い連結を実現するする支柱ブロックおよび土木構造体を提供することを目的としている。
【０００６】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【０００７】
【課題を解決するための手段】
上記目的を達成するために、本発明は支柱部と、この支柱部の一方の端部に設けられた凸部や孔や凹部からなる支柱側第１の嵌合部と、前記支柱部のもう一方の端部に設けられた凸部や孔や凹部からなる支柱側第２の嵌合部と、前記支柱部の側部から延びるように斜め支柱形態で設けられた筋交部と、この筋交部の端部に設けられた凸部や孔や凹部からなる支柱側第３の嵌合部とで支柱ブロックを構成している。
【０００８】
また、支柱部、この支柱部の一方の端部に設けられた凸部や孔や凹部からなる支柱側第１の嵌合部、前記支柱部のもう一方の端部に設けられた凸部や孔や凹部からなる支柱側第２の嵌合部、前記支柱部の側部から延びるように斜め支柱形態で設けられた筋交部、この筋交部の端部に設けられた凸部や孔や凹部からなる支柱側第３の嵌合部とからなる支柱ブロックと、床板本体、この床板本体に多数配列された前記支柱側第１の嵌合部、前記支柱側第２の嵌合部および前記支柱側第３の嵌合部が嵌合する形態の床板側嵌合部とからなる床板ブロックと、前記床板ブロックを横敷きして形成した床板ブロック群、この床板ブロック群の上に適宜な数の前記支柱ブロックを適宜な部位に適宜な向きで嵌合立設して形成した支柱ブロック群とからなるブロック構造体と、このブロック構造体を複数積み重ねて形成したブロック多段構造体と、上下関係にある床板ブロック群間に形成された空間部に詰められた客土などの一部をなす詰土砂とで土木構造体を構成している。
【０００９】
【発明の実施の形態】
以下、図面に示す実施の形態により、本発明を詳細に説明する。
【００１０】
図１ないし図５に示す本発明の実施の形態において１は土木構造体でありこの土木構造体１は、直径１２０ｍｍの支柱部２、この支柱部２の一方の端部に設けられた高さ５０ｍｍ×直径７５ｍｍの凸部からなる支柱側第１の嵌合部３、支柱部２のもう一方の端部に設けられた凸部からなる支柱側第２の嵌合部４、支柱部２の側部から延びるように斜め支柱形態で設けられた筋交部５、この筋交部５の端部に設けられた凸部からなる支柱側第３の嵌合部６とからなる高さ６５０ｍｍ×幅４２０ｍｍの主に高流動コンクリートで形成された支柱ブロック７と、床板本体８、この床板本体８に３６ヶ配列された支柱側第１の嵌合部３、支柱側第２の嵌合部４および支柱側第３の嵌合部６が嵌合する孔形態の直径８０ｍｍの床板側嵌合部９とからなる幅９００ｍｍ×９００ｍｍ×厚み５０ｍｍの主に高流動コンクリートで形成された床板ブロック１０と、床板ブロック１０を横敷きして形成した床板ブロック群１１ａ〜１１ｈ、この床板ブロック群１１ａ〜１１ｇの上に適宜な数の支柱ブロック７を適宜な部位に適宜な向きで嵌合立設して形成した支柱ブロック群１２ａ〜１２ｇとからなるブロック構造体１３ａ〜１３ｇと、このブロック構造体１３ａ〜１３ｇが多段に積み重ねてなるブロック多段構造体１４と、床板ブロック群１１ａ〜１１ｇ間に形成された空間部１５ａ〜１５ｇに詰められた客土１６の一部をなす詰土砂１７とからなっている。
支柱ブロック７はその立設の仕方が正立の場合は正立支柱ブロック７ａ、逆立ちの場合は逆立支柱ブロック７ｂの符号を付している。
また、幅９００ｍｍ×４５０ｍｍ×厚み５０ｍｍの床板ブロック１８も床板ブロック１０と組み合わせて使用する。床板ブロック１０、１８には孔１９が床板側嵌合部９の間に設けられた構成となっている。
また、土木構造体１の地中に埋設されている最下部はコンクリート基礎２０が打たれている。
支柱側嵌合部を孔を含む凹嵌合部にし床板側嵌合部を凸嵌合部にする、あるいは床板側嵌合部を孔形態にして凸嵌合部形成アダプターを嵌合して、これに凹嵌合部を有する支柱側嵌合部を嵌合立設するなどもよい。
支柱ブロックの支柱側第３の嵌合部６と支柱側第２の嵌合部４の間隔は床板側嵌合部９を一つ跨いで嵌合する間隔となっている。
支柱ブロックは中空構造とするのもよい。
土木構造体の最前部が適宜な隙間となるように、その一部を一本支柱形態の一本形態支柱ブロックを配置するようにするなど、他の支柱ブロックと組合せて土木構造体を形成するのもよいし、このような構成も本願発明の技術的範囲に含まれるものである。
【００１１】
【発明の異なる実施の形態】
次に、図６ないし図７に示す本発明の異なる実施の形態につき説明する。
なお、これら発明の異なる実施の形態の説明に当たって、前記本発明の第１の実施の形態と同一構成部分には同一符号を付して重複する説明を省略する。
【００１２】
図６に示す本発明の第２の実施の形態において前記本発明の第１の実施の形態と主に異なる点は、支柱ブロック２３の構成を支柱部２と筋交部５を端方で連絡する連絡部２４を設け、該２４内に鉄筋などの補強金具２５を付設した点にある。
連絡部２４を設けることにより床板ブロック同士に跨いで嵌合立設した場合に、床板ブロック同士の連結力をより強靭なものにでき、土木構造体をより堅固なものにできる。
【００１３】
図７に示す本発明の第３の実施の形態において前記本発明の第１の実施の形態と主に異なる点は、支柱ブロック２８の構成を筋交部５の対向する側に該５と同じ形態の筋交部２９を設けた点にある。
【００１４】
支柱部と筋交部が横並びの二股あるいは三股の構成が金型による形成が行いやすいものであるが、平面視においてＬ字形態のもの、Ｔ字形態のもの、十字形態のものなどもよい。また、２本の支柱部を筋交部で連結した正面視においてＮ時形態のもの、二本の支柱部を筋交機能を発揮する一枚板部で一体連結した形態のものなどもよい。
【００１５】
【発明の効果】
以上の説明から明らかなように、本発明にあっては次に列挙する効果が得られる。
【００１６】
支柱ブロックが支柱部と筋交部とを設けた構成であるので、上下の揺れや上部土圧に対しては支柱部が対抗し、横揺れや横土圧に対しては筋交部が対向し、筋交部と支柱部の嵌合部位を床板ブロックと隣の床板ブロックに跨らせ嵌合セットすることにより床板ブロック同士の強い連結力を実現した強い一体構造を形成し、地震などの大きな横揺れでも容易には崩壊しない堅固な土木構造体を実現するという効果を得ることができる。
また、支柱ブロックを最小限の使用に留めることができるので低コストを実現し、且つ詰土砂の多い通排水機能の良好な土木構造体を実現するという効果を得ることができる。
【図面の簡単な説明】
【図１】本発明の第１の実施の形態の土木構造体の概念図。
【図２】本発明の第１の実施の形態の支柱ブロックの斜視図。
【図３】本発明の第１の実施の形態の床板ブロックの平面図。
【図４】本発明の第１の実施の形態の他の床板ブロックの平面図。
【図５】本発明の第１の実施の形態の支柱ブロックの配置例を示す平面図。
【図６】本発明の第２の実施の形態の支柱ブロックの斜視図。
【図７】本発明の第３の実施の形態の支柱ブロックの斜視図。
【符号の説明】
１：土木構造体、　　　　　　　　　　　　２：支柱部、
３：支柱側第１の嵌合部、　　　　　　　　４：支柱側第２の嵌合部、
５：筋交部、　　　　　　　　　　　　　　６：支柱側第３の嵌合部、
７：支柱ブロック、　　　　　　　　　　　７ａ：正立支柱ブロック
７ｂ：逆立支柱ブロック　　　　　　　　　８：床板本体、
９：床板側嵌合部、　　　　　　　　　　　１０：床板ブロック、
群１１ａ〜１１ｇ：床板ブロック群、　　　１２ａ〜１２ｇ：支柱ブロック群、１３ａ〜１３ｇ：ブロック構造体、　　　　１４：ブロック多段構造体、
１５ａ〜１５ｇ：空間部、　　　　　　　　１６：客土、
１７：詰土砂、　　　　　　　　　　　　　１８：床板ブロック、
１９：孔、　　　　　　　　　　　　　　　２０：コンクリート基礎、
２３：支柱ブロック、　　　　　　　　　　２４：連絡部、
２５：補強金具、　　　　　　　　　　　　２８：支柱ブロック、
２９：筋交部、　　　　　　　　　　　　　３０：支柱側第４の嵌合部。
【図１】
2004143880.tif 000003
【図２】
2004143880.tif 000004
【図３】
2004143880.tif 000005
【図４】
2004143880.tif 000006
【図５】
2004143880.tif 000007
【図６】
2004143880.tif 000008
【図７】
2004143880.tif 000009